(57)【要約】【課題】タッチオン操作の誤検出を抑制できる入力装置を提供する。【解決手段】この入力装置は、タッチパッドへの指の接触に伴う静電容量の変化を検出する静電容量センサを備え、この静電容量センサで検出される静電容量の変化量に基づいて、タッチパッドへの指の接触度合いを示すタッチ感度値を取得する。そして入力装置では、タッチ感度値が閾値Ｃｔｈ以上となることをもってタッチパッドに対してタッチ操作が行われたと判定し、タッチオン操作に基づく入力情報を取得する。ここでは、タッチオン状態が所定時間Ｔ１以上継続したとき、その間に検出されたタッチ感度値Ｃｓの平均値Ｃａｖｇの半分の値を算出し、その値が閾値Ｃｔｈの現在の設定値よりも大きい場合、閾値Ｃｔｈを平均値Ｃａｖｇの半分の値に設定する。【選択図】図４
2014056460.tif 000002
【特許請求の範囲】
【請求項１】
操作部への操作体の接触度合いを表すタッチ感度値を検出する検出部と、
前記タッチ感度値が閾値以上となることをもって前記操作部に対してタッチオン操作が行われたと判定し、前記タッチオン操作に基づく入力情報を取得する入力情報取得部と、を備え、
前記入力情報取得部は、前記タッチ感度値が前記閾値以上の状態であるタッチオン状態が継続したとき、その間に検出されたタッチ感度値に応じた新たな閾値を設定し、前記新たな閾値が前記閾値の現在の設定値よりも大きい場合、前記閾値の現在の設定値に代えて前記新たな閾値を用いる
ことを特徴とする入力装置。
【請求項２】
請求項１に記載の入力装置において、
前記入力情報取得部は、前記新たな閾値の設定にあたり、前記タッチオン状態が継続したとき、その間に検出されたタッチ感度値の平均値を算出し、前記平均値に基づいて前記新たな閾値を設定する
ことを特徴とする入力装置。
【請求項３】
請求項１又は２に記載の入力装置において、
前記入力情報取得部は、前記閾値の初期値として、前記操作部に対する操作体のタッチオン操作を判定可能な最小の閾値を用いる
ことを特徴とする入力装置。
【請求項４】
請求項３に記載の入力装置において、
前記入力情報取得部は、前記タッチ感度値が前記初期値以上であって且つ、前記閾値以下である状態が継続したとき、前記閾値をその現在の設定値よりも小さくする
ことを特徴とする入力装置。
【請求項５】
請求項４に記載の入力装置において、
前記入力情報取得部は、前記閾値をその現在の設定値よりも小さくする際、前記閾値を前記初期値に戻す
ことを特徴とする入力装置。
【発明の詳細な説明】
【技術分野】
【０００１】
本発明は、操作部のタッチ操作を通じて各種情報を入力可能な入力装置に関する。
【背景技術】
【０００２】
従来、この種の入力装置としては特許文献１に記載の装置が知られている。特許文献１に記載の入力装置では、操作部としてのタッチパッドにユーザの指が接触すると、タッチパッドに設けられた静電容量センサで検出される静電容量が変化する。この入力装置では、静電容量センサで検出される静電容量の変化量が所定の閾値以上となることをもってタッチパッドに対してタッチオン操作が行われたと判定している。なおタッチオン操作とは、ユーザが指等でタッチパッドに触れる操作を示す。
【先行技術文献】
【特許文献】
【０００３】
【特許文献１】特開２０１１−１０３０２２号公報
【発明の概要】
【発明が解決しようとする課題】
【０００４】
ところで、タッチパッドの操作方法としては、素手による操作の他、手袋を装着したままでの操作等が考えられる。ここでユーザが手袋を装着したままタッチパッドを操作した場合、静電容量センサで検出される静電容量の変化量は素手の操作時と比較して小さくなる。このため手袋の装着時でもタッチオン操作を検出可能とするためには、閾値を素手の操作時の設定値よりも小さい値に設定する必要がある。しかしながら閾値を小さくすると、タッチオン操作を誤検出する可能性が高まる。具体的には、操作中の指に追従する他の指がタッチパッドに接近した場合や、無意識にタッチパッドに指を近づけてしまったような場合に、静電容量センサで検出される静電容量の変化量が閾値以上となる状況が生じ易くなるため、タッチオン操作を誤検出し易くなる。
【０００５】
このように特許文献１に記載の入力装置では、ユーザの任意のタッチオン操作を検出できるように閾値を設定すると、タッチオン操作を誤検出し易くなる懸念がある。また静電容量センサで検出される静電容量の変化量は操作者（例えば運転者と同乗者）によっても異なるため、全ての操作者のタッチオン操作に対応できるように閾値を設定したような場合にも、同様にタッチオン操作を誤検出し易くなる懸念がある。
【０００６】
なお、このような課題は、静電容量センサで検出される静電容量の変化量に基づいてタッチオン操作を検出する入力装置に限らず、例えば操作部に付与される押圧力に基づいてタッチオン操作を検出する入力装置など、操作部への操作体の接触度合いを示すタッチ感度値に基づいてタッチオン操作を検出する各種入力装置に共通する課題である。
【０００７】
本発明は、こうした実情に鑑みてなされたものであり、その目的は、タッチオン操作の誤検出を抑制できる入力装置を提供することにある。
【課題を解決するための手段】
【０００８】
上記課題を解決するために、請求項１に記載の入力装置は、操作部への操作体の接触度合いを表すタッチ感度値を検出する検出部と、前記タッチ感度値が閾値以上となることをもって前記操作部に対してタッチオン操作が行われたと判定し、前記タッチオン操作に基づく入力情報を取得する入力情報取得部と、を備え、前記入力情報取得部は、前記タッチ感度値が前記閾値以上の状態であるタッチオン状態が継続したとき、その間に検出されたタッチ感度値に応じた新たな閾値を設定し、前記新たな閾値が前記閾値の現在の設定値よりも大きい場合、前記閾値の現在の設定値に代えて前記新たな閾値を用いることを要旨とする。
【０００９】
タッチ感度値の小さいタッチオン操作を検出できるように閾値を設定した場合、ユーザがタッチ感度値の大きいタッチオン操作を行うと、検出部で検出されるタッチ感度値は閾値と比較して大幅に大きな値となる。このような場合、上記構成によれば、ユーザによってタッチ感度値の大きいタッチ操作が継続して行われると、その間に検出されたタッチ感度値に応じた新たな閾値が設定されるため、この新たな閾値は現在の設定値と比較して大きい値となる。よってこの場合、閾値の現在の設定値に代えて新たな閾値が用いられるため、閾値が大きくなる。これにより閾値が大きくなる分だけタッチ感度値が閾値を超えるような状況が生じ難くなるため、タッチオン操作の誤検出を抑制できる。
【００１０】
請求項２に記載の発明は、請求項１に記載の入力装置において、前記入力情報取得部は、前記新たな閾値の設定にあたり、前記タッチオン状態が継続したとき、その間に検出されたタッチ感度値の平均値を算出し、前記平均値に基づいて前記新たな閾値を設定することを要旨とする。
【００１１】
同構成によれば、タッチオン操作の検出を可能としつつ、その誤検出を抑制可能な新たな閾値を設定し易くなる。
この場合、請求項３に記載の発明のように、請求項１又は２に記載の入力装置において、前記入力情報取得部は、前記閾値の初期値として、前記操作部に対する操作体のタッチオン操作を判定可能な最小の閾値を用いる、といった構成を採用することが有効である。これにより閾値が初期値に設定されている場合には、タッチ感度値の小さいタッチオン操作を含め、任意のタッチオン操作を検出できる。よってユーザは任意のタッチオン操作を選択できるため、利便性が向上する。
【００１２】
請求項４に記載の発明は、請求項３に記載の入力装置において、前記入力情報取得部は、前記タッチ感度値が前記初期値以上であって且つ、前記閾値以下である状態が継続したとき、前記閾値をその現在の設定値よりも小さくすることを要旨とする。
【００１３】
閾値が初期値よりも大きい値に設定された後、ユーザがタッチ感度値の小さいタッチオン操作を行った場合、検出部により検出されるタッチ感度値が閾値よりも小さくなることがある。この場合、入力情報取得部ではタッチオン操作を検出できない。この点、上記構成によれば、タッチ感度値が初期値以上であって且つ、閾値以下である状態が継続すると、閾値が現在の設定値よりも小さくなるため、タッチ感度値の小さいタッチオン操作を検出し易くなる。これにより、閾値が初期値よりも大きい値に設定された後にユーザがタッチ感度値の小さいタッチオン操作を行った場合でも、その操作を適切に検出できる。
【００１４】
この場合、請求項５に記載の発明のように、請求項４に記載の入力装置において、前記入力情報取得部は、前記閾値をその現在の設定値よりも小さくする際、前記閾値を前記初期値に戻す、といった構成を採用することが有効である。これにより閾値が初期値よりも大きい値に設定された後、ユーザがタッチ感度値の小さいタッチオン操作を行うと、閾値が初期値に戻るため、タッチ感度値の小さいタッチオン操作を、より的確に検出できる。
【発明の効果】
【００１５】
本発明の入力装置によれば、タッチオン操作の誤検出を抑制できる
【図面の簡単な説明】
【００１６】
【図１】本発明の入力装置の一実施形態についてその適用対象である操作装置が搭載された車両内部の斜視構造を示す斜視図。
【図２】実施形態の入力装置についてそのタッチパッドの概略構造を示す斜視図。
【図３】実施形態の操作装置についてその構成を示すブロック図。
【図４】実施形態の入力装置による閾値設定処理についてその手順を示すフローチャート。
【図５】実施形態の入力装置の動作例としてタッチ感度値の推移例を示すタイミングチャート。
【図６】本発明の入力装置の他の実施形態による閾値設定処理についてその手順を示すフローチャート。
【発明を実施するための形態】
【００１７】
以下、本発明の入力装置を、車両のエアコン装置やカーナビゲーション装置等を遠隔操作する操作装置に適用した一実施形態について図１〜図５を参照して説明する。はじめに図１〜図３を参照して本実施形態の操作装置の概要を説明する。
【００１８】
図１に示すように、この操作装置は、車両のセンタークラスター３に設けられたディスプレイ１、及び車両のセンターコンソール４に設けられたタッチパッド２からなる。本実施形態では、タッチパッド２が操作部となる。
【００１９】
ディスプレイ１にはエアコン装置やカーナビゲーション装置等の操作に必要な各種項目が表示される。例えばカーナビゲーション装置で行き先検索を行う場合、ディスプレイ１には、五十音順に並べられた日本語のひらがな文字からなるアイコンや、それを選択するためのポインタ等が表示される。
【００２０】
タッチパッド２は、その操作面２０がセンターコンソール４から露出するように設けられている。図２に示すように、タッチパッド２の底面側には基板２１が設けられている。基板２１には、複数の線状の静電容量センサ（検出部）２２が格子状に配列されている。なお、基板２１の長辺方向に平行に配列される静電容量センサ２２の電極と、短辺方向に平行に配列される静電容量センサ２２の電極とは電気的に絶縁されている。このような構成により、ユーザの指が操作面２０に接触すると、複数の静電容量センサ２２のうち、指の接触位置に対応する静電容量センサ２２で検出される静電容量が変化する。そして図３に示すように、各静電容量センサ２２の出力は制御装置５に取り込まれている。
【００２１】
制御装置５は、各静電容量センサ２２の出力に基づいてユーザの入力情報を取得する。具体的には、制御装置５は各静電容量センサ２２の出力を所定周期で取り込み、各静電容量センサ２２で検出される静電容量の変化量に基づいてタッチ感度値Ｃｓを取得する。タッチ感度値Ｃｓはタッチパッド２への指の接触度合いを表すものであり、本実施形態では各静電容量センサ２２で検出される静電容量の変化量の最大値をタッチ感度値Ｃｓとしている。制御装置５は、タッチ感度値Ｃｓが閾値Ｃｔｈ以上となることをもってタッチパッド２に対してタッチオン操作が行われたと判定する。制御装置５は、タッチオン操作を検出した場合、各静電容量センサ２２で検出される静電容量の変化量に基づいてタッチパッド２における指の接触位置（タッチ位置）を検出する。またタッチ感度値Ｃｓが閾値Ｃｔｈ以上の状態であるタッチオン状態が継続している間、タッチ位置を所定周期で検出する。さらに制御装置５は、各静電容量センサ２２で検出される静電容量の変化態様に基づいてタッチパッド２に対してユーザが行う各種操作、例えばタップ操作やダブルタップ操作等も検出する。そして制御装置５は、タッチパッド２に対する各種操作やタッチ位置に基づいてユーザの入力情報を取得する。このように本実施形態では制御装置５が入力情報取得部となっており、この制御装置５とタッチパッド２とにより入力装置６が構成される。
【００２２】
制御装置５は、ユーザの入力情報に基づいてディスプレイ１の表示を変化させる。また制御装置５は、ユーザの入力情報に基づいてエアコン装置８やカーナビゲーション装置９への要求内容を判断し、その内容をＣＡＮ（Ｃｏｎｔｒｏｌｌｅｒ  Ａｒｅａ  Ｎｅｔｗｏｒｋ）などの車内ネットワーク７を通じてエアコン装置８やカーナビゲーション装置９に通知する。エアコン装置８及びカーナビゲーション装置９は、制御装置５からの要求を受信すると、それに応じた動作を行う。
【００２３】
このような構成からなる操作装置によれば、ユーザはディスプレイ１の表示を見ながらタッチパッド２を指で操作するだけでエアコン装置８やカーナビゲーション装置９を遠隔操作することができる。
【００２４】
一方、制御装置５はタッチ感度値Ｃｓを所定周期でメモリ５ａに記憶しており、このメモリ５ａに記憶されたタッチ感度値Ｃｓの時系列的なデータに基づいて閾値Ｃｔｈを可変設定する。次に図４を参照して、制御装置５により実行される閾値設定処理について説明する。なお図４に示す処理は、例えば車両のアクセサリスイッチがオンされたときなど、入力装置６の電源投入時に実行される。
【００２５】
図４に示すように、制御装置５は、はじめに、閾値Ｃｔｈを初期値αに設定する（ステップＳ１）。初期値αは、例えば手袋装着時のタッチオン操作など、タッチ感度値Ｃｓの小さい任意のタッチオン操作を検出できるように、タッチパッド２への指の接触を判定可能な最小の閾値に実験などを通じて予め設定され、その値がメモリ５ａに記憶されている。次に制御装置５は、タッチ感度値Ｃｓが閾値Ｃｔｈ以上であるか否かを判断し（ステップＳ２）、タッチ感度値Ｃｓが閾値Ｃｔｈ以上である場合（ステップＳ２：ＹＥＳ）、タッチパッド２に対してタッチオン操作が行われたと判定する。この場合、制御装置５は、タッチオン状態が所定時間Ｔ１以上継続したか否かを判断する（ステップＳ３）。ステップＳ３の判断処理は、具体的には、タッチ感度値Ｃｓが閾値Ｃｔｈ以上である状態を所定時間Ｔ１以上維持したか否かを判断することにより行われる。制御装置５は、タッチオン状態が所定時間Ｔ１以上継続した場合（ステップＳ３：ＹＥＳ）、その間に検出されたタッチ感度値Ｃｓの時系列的なデータをメモリ５ａから読み込み、それらの平均値Ｃａｖｇを算出する（ステップＳ４）。そしてタッチ感度値の平均値Ｃａｖｇの半分の値「Ｃａｖｇ／２」が閾値Ｃｔｈよりも大きいか否かを判断し（ステップＳ５）、「Ｃａｖｇ／２」が閾値Ｃｔｈよりも大きい場合（ステップＳ５：ＹＥＳ）、閾値Ｃｔｈを「Ｃａｖｇ／２」に設定する（ステップＳ６）。こうして閾値Ｃｔｈが変更される。
【００２６】
また制御装置５は、ステップＳ６の処理を実行した場合、あるいはステップＳ２，Ｓ３、及びＳ５のいずれかの処理で否定判断した場合には、タッチ感度値Ｃｓが初期値α及び閾値Ｃｔｈに対して「α≦Ｃｓ≦Ｃｔｈ」なる条件を所定時間Ｔ２以上継続して満たしたか否かを判断する（ステップＳ７）。そして制御装置５は、タッチ感度値Ｃｓが「α≦Ｃｓ≦Ｃｔｈ」なる条件を所定時間Ｔ２以上継続して満たした場合には（ステップＳ７：ＹＥＳ）、ステップＳ１の処理に戻って閾値Ｃｔｈを初期値αに戻した後、ステップＳ２以降の処理を実行する。これに対し、タッチ感度値Ｃｓが「α≦Ｃｓ≦Ｃｔｈ」なる条件を所定時間Ｔ２以上満たしていない場合には（ステップＳ７：ＮＯ）、ステップＳ２の処理に戻り、それ以降の処理を実行する。
【００２７】
なお図４に示す処理は、車両のアクセサリスイッチがオフされたときなど、入力装置６の電源遮断時に中断される。
次に図５を参照して本実施形態の入力装置６の動作例（作用）を説明する。
【００２８】
図５に示すように、ユーザが時刻ｔ０で車両のアクセサリスイッチをオンしたとすると、この時点で入力装置６に電源が投入されるため、制御装置５は時刻ｔ０で閾値Ｃｔｈを初期値αに設定する。よってこのとき、入力装置６は、手袋着用時のタッチオン操作など、タッチ感度値Ｃｓの小さいタッチオン操作を含む任意のタッチオン操作を検出できる状態となっている。
【００２９】
その後、時刻ｔ１でユーザが素手でタッチパッド２の操作を開始したとする。このときタッチパッド２への指の接近に伴ってタッチ感度値Ｃｓが増加し、時刻ｔ２でタッチ感度値Ｃｓが閾値Ｃｔｈ（＝α）以上になると、この時点で制御装置５がタッチオン操作を検出する。そして制御装置５は、時刻ｔ２以降、タッチ感度値Ｃｓが閾値Ｃｔｈ以上を維持しているか否かを監視することで、タッチオン状態が継続しているか否かを監視する。その後、時刻ｔ２から所定時間Ｔ１が経過する時刻ｔ３までの間、タッチオン状態が継続すると、制御装置５は、その間に検出されたタッチ感度値の平均値Ｃａｖｇを算出し、その半分の値「Ｃａｖｇ／２」を閾値Ｃｔｈに設定する。このため、その後にユーザがタッチパッド２の操作を止めることによりタッチ感度値Ｃｓが減少した場合、制御装置５は、タッチ感度値Ｃｓが「Ｃａｖｇ／２」未満となる時刻ｔ４でタッチオフ操作を検出する。なおタッチオフ操作とは、ユーザがタッチパッドから指を離す操作を示す。
【００３０】
このように閾値Ｃｔｈが初期値αから「Ｃａｖｇ／２」に変更されることにより、仮に時刻ｔ５でユーザが無意識に指をタッチパッド２に近づけたとき、タッチ感度値Ｃｓが僅かに大きくなったような場合でも、タッチ感度値Ｃｓが閾値Ｃｔｈを超えるような状況が生じ難くなる。またタッチパッド２を操作中の指に追従する他の指の動きやノイズなどに起因してタッチ感度値Ｃｓが閾値Ｃｔｈを超えるような状況も生じ難くなるため、制御装置５がタッチオン操作を誤検出し難くなる。これに対し、時刻ｔ６でユーザが再び素手でタッチパッド２を操作した場合には、タッチ感度値Ｃｓが「Ｃａｖｇ／２」以上となるため、制御装置５はタッチオン操作を適切に検出できる。
【００３１】
またその後にユーザが時刻ｔ７で手袋を装着した状態でタッチパッド２の操作を開始したとする。このとき、タッチパッド２への指の接近に伴ってタッチ感度値Ｃｓが増加するが、タッチ感度値Ｃｓは閾値Ｃｔｈには達しない。この場合、制御装置５は、時刻ｔ８から所定時間Ｔ２が経過する時刻ｔ９までの間、タッチ感度値Ｃｓが初期値α以上であって且つ、閾値Ｃｔｈ以下である状態が継続すると、時刻ｔ９で閾値Ｃｔｈを初期値αに戻す。これによりタッチ感度値Ｃｓが閾値Ｃｔｈ（＝α）以上となるため、制御装置５はタッチオン操作を検出できる。このように本実施形態では、閾値Ｃｔｈが初期値αよりも大きい値に設定された後、ユーザが手袋を装着してタッチパッド２を操作したような場合でも、タッチオン操作を適切に検出できる。またタッチパッド２の操作者が例えば運転者から同乗者に変わったような場合にもタッチオン操作を適切に検出できる。
【００３２】
以上説明したように、本実施形態の入力装置６によれば以下の効果が得られる。
（１）制御装置５では、タッチオン状態が継続したとき、その間に検出されたタッチ感度値の平均値Ｃａｖｇを算出することとした。そして、その半分の値「Ｃａｖｇ／２」が閾値Ｃｔｈの現在の設定値よりも大きい場合、閾値Ｃｔｈを「Ｃａｖｇ／２」に設定することとした。これにより閾値Ｃｔｈが大きくなる分だけタッチオン操作の誤検出を抑制できる。
【００３３】
（２）制御装置５では、入力装置６への電源投入時に閾値Ｃｔｈを初期値αに設定することとした。また初期値αを、タッチパッド２への指の接触を判定可能な最小の閾値に設定することとした。これにより入力装置６では、電源投入直後の初期状態にあるとき、手袋装着時のタッチオン操作等、タッチ感度値Ｃｓの小さいタッチオン操作を含む任意のタッチオン操作を検出できる。よってユーザは任意のタッチオン操作を選択できるため、利便性が向上する。
【００３４】
（３）制御装置５では、タッチ感度値Ｃｓが初期値α以上であって且つ、閾値Ｃｔｈ以下である状態が継続したとき、閾値Ｃｔｈを初期値αに戻すこととした。これにより、ユーザが素手でタッチパッド２を一旦操作した後、手袋を装着してタッチパッド２を操作したような場合でもタッチオン操作を適切に検出できる。
【００３５】
（４）入力装置６では、タッチパッド２にユーザの指が接触した際に静電容量センサ２２で検出される静電容量の変化量をタッチ感度値Ｃｓとして用いることとした。これによりタッチ感度値Ｃｓを簡単且つ的確に検出できる。
【００３６】
なお、上記実施形態は、これを適宜変更した以下の形態にて実施することもできる。
・上記実施形態では、入力装置６への電源投入時に閾値Ｃｔｈを初期値αに設定することとしたが、タッチオン操作が行われた時点で閾値Ｃｔｈを初期値αに設定してもよい。詳しくは図６に示すように、制御装置５は、はじめに、タッチ感度値Ｃｓが閾値Ｃｔｈ以上であるか否かを監視し（ステップＳ１０）、タッチ感度値Ｃｓが閾値Ｃｔｈ以上となった場合（ステップＳ１０：ＹＥＳ）、すなわちタッチオン操作が行われた場合、閾値Ｃｔｈを初期値αに設定する（ステップＳ１）。以降、制御装置５は、図４に例示したステップＳ３〜Ｓ６の処理を上記実施形態と同様に実行する。そしてステップＳ６の処理を実行した場合、あるいはステップＳ３及びＳ５のいずれかの処理で否定判断した場合には、タッチ感度値Ｃｓが閾値Ｃｔｈ以上であるか否かを再度監視し（ステップＳ１１）、タッチ感度値Ｃｓが閾値未満となった場合（ステップＳ１１：ＮＯ）、すなわちタッチオフ操作が行われた場合、一連の処理を終了する。このような処理によれば、ステップＳ６の処理で閾値Ｃｔｈが「Ｃａｖｇ／２」に設定された後にタッチオフ操作が行われた場合、閾値Ｃｔｈは、初期値αよりも大きい「Ｃａｖｇ／２」に設定されたままの状態となる。これによりユーザが無意識に指をタッチパッド２に近づけたような場合でも、タッチ感度値Ｃｓが閾値Ｃｔｈを超えるような状況が生じ難くなるため、制御装置５がタッチオン操作を誤検出し難くなる。また、その後のユーザのタッチオン操作に伴ってタッチ感度値Ｃｓが閾値Ｃｔｈ以上になれば、閾値Ｃｔｈが初期値αに戻る。このため、タッチオン操作開始時には、タッチ感度値Ｃｓの小さいタッチオン操作を検出し易くなる。
【００３７】
・図４に例示した処理ではステップＳ７の処理を割愛してもよい。この場合、制御装置５は、ステップＳ６の処理を実行したとき、あるいはステップＳ２，Ｓ３、及びＳ５のいずれかの処理で否定判断したとき、ステップＳ２の処理に戻ればよい。
【００３８】
・図４に例示したステップＳ６の処理では、新たな閾値Ｃｔｈを「Ｃａｖｇ／２」に設定することとしたが、これに代えて、例えば新たな閾値Ｃｔｈを「Ｃａｖｇ／３」などに設定してもよい。要は、タッチオン状態が継続したとき、その間に検出されたタッチ感度値の平均値Ｃａｖｇを算出し、算出された平均値Ｃａｖｇに基づいて新たな閾値Ｃｔｈを設定するものであればよい。
【００３９】
・図４に例示したステップＳ６の処理では、閾値Ｃｔｈを「Ｃａｖｇ／２」に設定する処理に代えて、閾値Ｃｔｈを所定値だけ僅かに増加させる処理を実行してもよい。これにより入力装置６では、タッチオン操作が徐々に検出され難くなるため、タッチパッド２の操作感の急変を抑制できる。よってユーザの違和感を払拭できる。同様に、制御装置５では、ステップＳ７の処理でタッチ感度値Ｃｓが「α≦Ｃｓ≦Ｃｔｈ」なる条件を所定時間Ｔ２以上満たした場合（ステップＳ７：ＹＥＳ）、閾値Ｃｔｈを所定値だけ僅かに減少させる処理を実行してもよい。
【００４０】
・上記実施形態では、タッチオン状態が所定時間Ｔ１以上継続したとき、その間に検出されたタッチ感度値Ｃｓの平均値Ｃａｖｇの半分の値「Ｃａｖｇ／２」を新たな閾値Ｃｔｈとして用いることとした。これに代えて、例えばタッチオン状態が所定時間Ｔ１以上継続したとき、その間に検出されたタッチ感度値Ｃｓの最大値を新たな閾値Ｃｔｈとして用いてもよい。要は、タッチオン状態が継続したとき、その間に検出されたタッチ感度値Ｃｓに基づいて新たな閾値Ｃｔｈを設定するものであればよい。
【００４１】
・上記実施形態では、閾値Ｃｔｈの初期値αを、タッチパッド２への指の接触を判定可能な最小の閾値に設定したが、初期値αの値は適宜変更可能である。
・上記実施形態では、タッチ位置の検出のためにタッチパッド２に複数の静電容量センサ２２を設けたが、タッチパッド２に対するタッチオン操作を検出するだけでよい場合には、静電容量センサを一つだけ設けてもよい。またこの場合、一つの静電容量センサで検出される静電容量の変化量をタッチ感度値Ｃｓとしてそのまま用いてもよい。
【００４２】
・上記実施形態では、タッチ感度値Ｃｓを検出する検出部として静電容量センサ２２を用いたが、検出部はこれに限らない。例えば所定の操作部に付与される押圧力を検出する圧力センサを検出部として利用し、圧力センサにより検出される押圧力に基づいてタッチ感度値Ｃｓを検出してもよい。なお圧力センサを利用した入力装置では、素手の操作と手袋装着時の操作とで押圧力が異なるということは生じ難いが、操作者（例えば運転者と同乗者）によって押圧力が異なるという状況は生じ得る。このため圧力センサの検出値に対して設定されるタッチオン操作の閾値を、全ての操作者に対応できるように設定したような場合にタッチオン操作を誤検出し易くなる懸念がある。このため上記実施形態に準じた構成を採用することで、同様にタッチオン操作の誤検出を抑制できる。  ・上記実施形態では、本発明の入力装置を、車両のエアコン装置８やカーナビゲーション装置９等を遠隔操作する操作装置に適用したが、本発明の入力装置は車載機以外の機器にも適用可能である。例えばパーソナルコンピュータや携帯用機器、テレビジョン受像機を遠隔操作するリモートコントローラなどの機器にも適用可能である。
【００４３】
＜付記＞
次に、上記実施形態及びその変形例から把握できる技術的思想について追記する。
（イ）前記入力情報取得部は、前記新たな閾値を前記平均値の半分の値に設定することを特徴とする入力装置。同構成によれば、タッチオン操作の検出を可能としつつ、その誤検出を抑制可能な新たな閾値を設定し易くなる。
【００４４】
（ロ）前記入力情報取得部は、電源投入時に前記閾値を前記初期値に設定することを特徴とする入力装置。同構成によれば、電源投入が行われる都度、閾値が初期値に設定されるため、電源投入直後はタッチ感度値の小さいタッチオン操作を検出し易くなる。よって電源投入直後はユーザが任意のタッチオン操作を選択できるため、利便性が向上する。
【００４５】
（ハ）前記入力情報取得部は、前記操作部のタッチオン操作を検出したとき、前記閾値を前記初期値に設定することを特徴とする入力装置。同構成によれば、操作部に対してタッチオン操作が行われたとき、閾値が初期値に設定されるため、タッチオン操作開始時はタッチ感度値の小さいタッチオン操作を検出し易くなる。よってタッチオン操作開始時はユーザが任意のタッチオン操作を選択できるため、利便性が向上する。
【００４６】
（ニ）前記検出部は、前記操作部に設けられる静電容量センサからなり、前記操作部に操作体が接触した際に前記静電容量センサで検出される静電容量の変化量を前記タッチ感度値として検出することを特徴とする入力装置。同構成によれば、タッチ感度値を簡単且つ的確に検出できる。
【符号の説明】
【００４７】
２…タッチパッド（操作部）、５…制御装置（入力情報取得部）、６…入力装置、２２…静電容量センサ（検出部）。
【図１】
2014056460.tif 000003
【図２】
2014056460.tif 000004
【図３】
2014056460.tif 000005
【図４】
2014056460.tif 000006
【図５】
2014056460.tif 000007
【図６】
2014056460.tif 000008